(57)【要約】送信先ＩＰｖ６アドレス３０３Ａ、及びＩＰｖ６通信プロセッサ１０１Ａを実装する機器の識別子３０２Ａを記憶したＲＯＭ２０３Ａ、ＲＯＭ読出し部２０４Ａ、及び外部ネットワークインタフェース部２０５Ａを備えたＩＰｖ６通信プロセッサ１０１Ａと、ＩＰｖ６通信プロセッサ１０１ＡのＲＯＭ２０３Ａに記憶した情報を受信し、ＩＰｖ６パケットを作成し、ＩＰｖ６通信プロセッサ１０１Ａが記憶している送信先アドレス３０３ＡへＩＰｖ６パケットを送信するＩＰｖ６通信プロセッサアクセスポイント１０２Ａとに通信機能を分担し、通信を実現する。
2003071748.tif 000002
【特許請求の範囲】
【請求項１】
家電機器、ＩＰｖ６通信プロセッサアクセスポイント、及びホームゲートウェイを有するＩＰｖ６家庭内ネットワークとインターネットを介して接続し、家庭内ネットワーク内の家電機器を保守運用管理する家電機器保守運用システムにおいて、
送信先ＩＰｖ６アドレスとして家電機器の保守運用を行う保守運用センタの管理サーバのアドレスを記憶したＩＰｖ６通信プロセッサを実装した家電機器において、送信先ＩＰｖ６アドレス、家電機器の識別子、及び家電機器の状態を示す情報を送信する手段を備え、
家電機器から送信された情報を受信する通信プロセッサアクセスポイントにおいて、家電機器から送信する送信先ＩＰｖ６アドレス、家電機器の識別子及び、家電機器の状態情報を受信する手段を備え、受信した家電機器の識別子から家電機器のＩＰｖ６アドレスを生成する手段、及びＩＰｖ６パケットを作成し家電機器から通知された情報をホームゲートウェイを介してインターネットに送信し、管理サーバへＩＰｖ６パケットを送信する手段を備え、
ＩＰｖ６パケットを受信する保守運用センタの管理サーバにおいて、受信したＩＰｖ６パケットの送信元ＩＰｖ６アドレスを構成するネットワークプリフィクスから家庭内ネットワークを識別する手段を備え、ＩＰｖ６アドレスを構成するインタフェースＩＤから家電機器を識別する手段を備え、ＩＰｖ６パケットに格納されている家電機器から通知された情報を解析し、正常あるいは異常を解析する手段を備えることを特徴とする家電機器保守運用システム。
【請求項２】
送信先ＩＰｖ６アドレス及び機器の識別子を記憶したＲＯＭ、機器からの割り込み信号を受け付ける機器インタフェース部、ＲＯＭに記憶した情報を機器からの割り込みを受けて読み出すＲＯＭ読出し部、及びＲＯＭから読み出した情報を外部ネットワークに対して送信する外部ネットワークインタフェース部を備えることを特徴とするＩＰｖ６通信プロセッサ。
【請求項３】
請求項２記載のＩＰｖ６通信プロセッサにおいて、ＲＯＭに記憶する送信先ＩＰｖ６アドレスとして、ＩＰｖ６通信プロセッサを実装する機器を管理するサーバに割り付けられたグローバルＩＰｖ６アドレス指定することを特徴とするＩＰｖ６通信プロセッサ。
【請求項４】
請求項２記載のＩＰｖ６通信プロセッサにおいて、ＲＯＭに記憶する送信先ＩＰｖ６アドレスとして、ＩＰｖ６通信プロセッサを実装する機器を管理するサーバを指定するＩＰｖ６エニイキャストアドレスを記憶することを特徴とするＩＰｖ６通信プロセッサ。
【請求項５】
請求項２記載のＩＰｖ６通信プロセッサにおいて、送信先ＩＰｖ６アドレスと機器の識別子のＣＲＣ計算値をＲＯＭに記憶することを特徴とするＩＰｖ６通信プロセッサ。
【請求項６】
請求項５記載のＩＰｖ６通信プロセッサにおいて、タイマを具備し、正常通知コマンド、異常通知コマンド、送信先ＩＰｖ６アドレスと機器識別子と正常通知コマンドの第一のＣＲＣ計算値、送信先ＩＰアドレスと機器識別子と異常通知コマンドの第二のＣＲＣ計算値をＲＯＭに記憶し、外部からの割り込みを受け付けた場合、ＲＯＭから送信先ＩＰアドレスと機器識別子と第二のＣＲＣを読出し、タイマによる一定時間ごとのに割り込みを受け付けた場合、ＲＯＭから送信先ＩＰｖ６アドレスと機器識別子を読出すＲＯＭ読出し部、及びＲＯＭから読み出した情報を外部ネットワークに対して送信する外部ネットワークインタフェース部を備えることを特徴とするＩＰｖ６通信プロセッサ。
【請求項７】
請求項５記載のＩＰｖ６通信プロセッサより送信される情報を受信し、受信した情報である機器識別子と送信先ＩＰｖ６アドレスのＣＲＣを計算し、ＩＰｖ６通信プロセッサから送信された情報に含まれるＣＲＣ値と比較し、等しい場合ＩＰｖ６通信プロセッサを実装した機器の異常状態をコマンドとして記憶し、ＣＲＣ値が等しくない場合ＩＰｖ６通信プロセッサの情報改竄をコマンドとして記憶する手段を備え、受信した機器識別子をインタフェースＩＤとする送信元ＩＰｖ６アドレスを作成する手段を備え、ＩＰｖ６通信プロセッサが指定する送信先ＩＰｖ６アドレスに対して前記コマンドをＩＰｖ６パケットペイロードに設定したＩＰｖ６パケットを送信することを特徴とするＩＰ通信プロセッサアクセスポイント。
【請求項８】
請求項６記載のＩＰｖ６通信プロセッサより送信される情報を受信し、受信した情報である機器識別子、送信先ＩＰｖ６アドレス、正常通知コマンドあるいは異常通知コマンドのＣＲＣを計算し、計算値とＩＰｖ６通信プロセッサが送信したＣＲＣ値が一致しない場合、ＩＰｖ６通信プロセッサの情報改竄をコマンドとして記憶する手段を備え、ＩＰｖ６通信プロセッサが指定する送信先ＩＰｖ６アドレスに対し、ＩＰｖ６通信プロセッサから受信したコマンド、あるいは記憶した情報改竄コマンドをＩＰｖ６パケットペイロードに設定したＩＰｖ６パケットを送信することを特徴とするＩＰ通信プロセッサアクセスポイント。
【請求項９】
請求項２記載のＩＰｖ６通信プロセッサを実装した家電機器、請求項７あるいは請求項８記載のＩＰｖ６通信プロセッサアクセスポイントから構成する家庭内ネットワーク、家庭内ネットワークと外部アクセス網を接続する家庭内ネットワークに配置されるホームゲートウェイ、アクセス網に接続する家電機器の保守運用センタ、及び運用保守センタに配置する管理サーバから構成する家電機器保守運用システム。
【請求項１０】
送信先ＩＰｖ６アドレス及び製品識別子を記憶したＲＯＭ、外部リーダからの読出し要求受け付け、及び読出した情報を外部リーダへ送る外部インタフェース部、ＲＯＭに記憶した情報を読み出すＲＯＭ読出し部を備えることを特徴とするＩＰｖ６通信プロセッサ。
【請求項１１】
請求項１０記載のＩＰｖ６通信プロセッサを実装した製品からＩＰｖ６通信プロセッサが記憶している情報を読み出す機能を備え、受信した製品識別子をインタフェースＩＤとする送信元ＩＰｖ６アドレスを作成する手段を備え、ＩＰｖ６通信プロセッサが指定する送信先ＩＰｖ６アドレスに対してＩＰｖ６パケットをネットワークへ送信することを特徴とするＩＰ通信プロセッサリーダ。
【請求項１２】
請求項１０記載のＩＰｖ６通信プロセッサを実装した製品、請求項１０記載の外部ネットワークとのインタフェース機能を備え、ＩＰｖ６通信プロセッサのＲＯＭから情報を読み出すたＩＰ通信プロセッサリーダ、外部ネットワークに接続するＩＰｖ６通信プロセッサを実装した製品管理を行うセンタ、及び製品管理センタに配置する管理サーバから構成することを特徴とする製品管理システム。
【請求項１３】
通信システムであって、
識別子及び送信先アドレスを格納した第１の手段と、
前記第１の手段が送信する前記識別子及び送信先アドレスを有する情報を受信し、該情報に基づきネットワークに転送可能な通信パケットを生成し、該ネットワークに送信する第２の手段と、
前記第２の手段が送信した情報を受信し、前記第１の手段の状態を認識する第３の手段とを有することを特徴とする通信システム。
【請求項１４】
請求項１３記載の通信システムであって、
前記第１の手段は検知手段を有し、
前記検知手段が検知した情報を前記第２の手段へ送信することを特徴とする通信システム。
【請求項１５】
機器管理サーバであって、
識別子及び送信先アドレスを格納した第１の手段が送信する前記識別子及び送信先アドレスを有する情報に基づき、ネットワークに転送可能な通信パケットを生成し、該ネットワークに送信する第２の手段が送信した情報を受信し、前記第１の手段の状態を認識することを特徴とする機器管理サーバ。
【請求項１６】
通信プロセッサと中継機器とを有する通信システムであって、
前記通信プロセッサは、送信先ＩＰアドレス及び送信元ＩＰアドレスである機器識別子を格納した記憶手段と、前記記憶手段に格納された情報を読み出す読出し部と、前記情報を送信するためのインタフェース部を有し、
前記中継機器は、前記通信プロセッサから送信された前記送信先ＩＰアドレス及び機器識別子を受信し、該受信した機器識別子に基づきネットワークに送信可能な送信パケットを作成し、送信することを特徴とする通信システム。
【発明の詳細な説明】
技術分野
本発明は、送信先ＩＰｖ６アドレスを持つＩＰｖ６プロセッサを実装した機器における情報通知方法に関わる。
背景技術
Ｉｎｔｅｒｎｅｔ  Ｐｒｏｔｏｃｏｌ（以下ＩＰ）は、インターネットの普及により、コンピュータネットワークのデファクトスタンダードとなり、企業内ネットワークでも必ず実装されている。携帯電話からインターネット利用の普及により、携帯電話システムのＩＰ化も進められており、人々が意識するしないに関わらず、ＩＰプロトコルを用いた通信を利用している。
ＩＰは、米国内のＡＲＰＡＮＥＴに端を発しており、プロトコル及びネットワークサービスの定義は、Ｉｎｔｅｒｎｅｔ  Ｅｎｇｉｎｅｅｒｉｎｇ  Ｔａｓｋ  Ｆｏｒｃｅ（ＩＥＴＦ）において、ｔｈｅ  Ｒｅｑｕｅｓｔ  Ｆｏｒ  Ｃｏｍｍｅｎｔｓ（ＲＦＣ）と呼ばれるドキュメント群でなされている。ＩＰで通信する機器は、４バイトのＩＰアドレスを持つ。ＩＰの主な機能は、送信元の端末から送信先の端末にパケットを送り届けるルーティングを行うことである。パケットを送り出す際には、送信するネットワークの選択、ネットワークに応じた転送パケットサイズに応じたパケット分割・組み立てを行う。パケットの紛失あるいは重複に関する確認はＩＰよりも上位の層で処理を行う。
ネットワークの利用範囲が拡大すると共にＩＰアドレスが必要な機器が増えており、ＩＰアドレスの枯渇とルーティングの複雑化が問題となっている。特に、ＩＰアドレスに関しては、公に使用できるグローバルアドレスの不足が大きな問題である。
これを考慮し、ＩＰｖ６プロトコル及びネットワークサービスが次世代ＩＰとしてＩＥＴＦにて定義されつつある。ＩＰｖ６の主な特徴は、ＩＰｖ６アドレスサイズが１６バイトに拡張された点、アドレス構造がルーティングを考慮した階層構造になっている点、ＩＰｖ６アドレスの自動コンフィギュレーションを可能にした点、ＩＰｓｅｃ、Ｍｏｂｉｌｅ  ＩＰといった機能がＩＰｖ６機能として必須とした点にある。ＩＰｖ６アドレスサイズの拡張により、ＰＣから携帯端末、家電機器までグローバルＩＰｖ６アドレスをアサインすることが可能であり、それぞれが直接対話できるピア・ツー・ピア通信が実現できることから、新たなネットワーク及びネットワークサービスの創造が期待されている。
上述したＩＰのプロトコルは、ＲＦＣ７９１“Ｉｎｔｅｒｎｅｔ  Ｐｒｏｔｏｃｏｌ（ＩＰ）”に定義されており、他ＲＦＣ群にてネットワークサービスの定義がなされている。ＩＰｖ６に関しては、ＲＦＣ２４６０”Ｉｎｔｅｒｎｅｔ  Ｐｒｏｔｏｃｏｌ，Ｖｅｒｓｉｏｎ  ６（ＩＰｖ６）Ｓｐｅｃｉｆｉｃａｔｉｏｎ”を中心に他ＲＦＣ群にてプロトコル及びネットワークサービスの定義がなされている。
ＩＰネットワークの拡大により、いつでも、どこからでもＩＰネットワーク、インターネットにアクセスできる環境が構築されると共に、企業内のＰＣ、携帯電話、家庭内のＰＣからのＩＰネットワークアクセスを可能にしている。加えて、冷蔵庫、洗濯機などの家電機器、あるいはテレビ、ビデオといったＡＶ機器にＩＰを実装させることにより、ＩＰネットワークを介して、ＰＣあるいは携帯電話から各機器を制御することが、さらには、各機器から自発的に例えば異常状態をユーザの携帯端末あるいは運用センターに通知することができるようになる。このように、様々な多くの機器をＩＰｖ６ネットワークに接続するには、ほぼ無限大と言われるグローバルＩＰｖ６アドレスを持つＩＰｖ６を様々な機器が実装する方法、及びＩＰｖ６以外の通信プロトコル例えばＥｃｈｏｎｅｔあるいはＩＥＥＥ１３９４を備えた機器をＩＰｖ６プロトコルとの変換機能を備えたゲートウェイを中継役として接続することにより、異なる通信プロトコルを備えた機器を接続するという方法がある。
簡単に家電機器、ＡＶ機器にＩＰｖ６を容易に実装する方法として、ＩＰｖ６処理を実装した一つのＬＳＩチップソルーションが考えられている（以下、本チップをＩＰｖ６通信プロセッサと呼ぶ）。ＩＰｖ６通信プロセッサは、これを機器に実装することにより、ＩＰｖ６通信を実現できるものである。ＩＰｖ６では、ＩＰｓｅｃ、Ｍｏｂｉｌｅ  ＩＰ、ＩＰｖ６アドレスの自動コンフィギュレーションといった多くの機能を標準として実装する必要がある。このように、標準装備として挙げられている機能の中には、実装する機器によっては不要な場合がある。例えは、設置後ほとんど移動しない冷蔵庫、エアコンなどには、Ｍｏｂｉｌｅ  ＩＰの機能は不要である。また、必要とされるＩＰｖ６性能も機器により異なる。例えば、動画等を扱うＡＶ機器では、高速なＩＰｖ６プロトコル処理が要求されると共に、通信品質保証といった機能が要求される。
ＩＰｖ６を非ＰＣ系に適用する為、必要なＩＰｖ６機能の最小要求仕様として、“情報家電向けＩＰｖ６最小要求仕様案（Ｖｅｒ．３．０．１１），ＩＮＴＡＰ情報家電安全性技術委員会，２００１．１１．１６”として提案されている。また、家電機器のＩＰｖ６ネットワークの接続形態、及びＩＰｖ６通信プロセッサの必要性に関して、“「ＩＰｖ６チップ」でネット家電を創る，ｐｐ．．１３０−１３９，Ｎｉｋｋｅｉ  Ｅｌｅｃｔｒｏｎｉｃｓ，２００１．６．４（ｎｏ．７９７）”に記載してある。
様々な機器（家電機器を含めて）をＩＰｖ６ネットワークに直接接続する為には、機器自体にＩＰｖ６機能を備えると共に、機器の既存に備えたハードウェア構成に簡単に接続できること、及びコストに見合ったＩＰｖ６実装をしていくことが必要となる。例えば、センサーといった異常検出を行いそれを通知する機能を備えた機器において、機器自体に要求される機能としては送信機能だけであり、受信機能は不要である。加えて、コスト低減のためメモリ容量を減らすと共に、バス幅、周波数といったハード構成も出きるだけ低減しなくてはならない。上述した“情報家電向けＩＰｖ６最小要求仕様案（Ｖｅｒ．３．０．１１），ＩＮＴＡＰ情報家電安全性技術委員会，２００１．１１．１６”では、機器だけでＩＰｖ６通信機能を実現することを目的としており、最低機能を実現する為にも、メモリ１  Ｍバイト、１６ビットのマイコンが必要であるとしている。
発明の開示
本発明の目的は、ＩＰｖ６通信機能として、送信先ＩＰｖ６アドレス及び送信元ＩＰアドレスのインタフェースＩＤとして利用できる製品識別子だけを具備したＩＰｖ６通信プロセッサを実装した機器より、ＩＰｖ６通信端末としての通信を実現することにある。
本発明の他の目的は、ＩＰｖ６通信プロセッサに記憶した送信先ＩＰｖ６アドレスとして、本プロセッサを備える家電機器をネットワークを介して保守運用するサーバのＩＰｖ６アドレスを記憶し、本プロセッサを備えた家電機器が家電機器の状態を記憶している送信先ＩＰｖ６アドレス宛に送信することにより、家電機器のネットワークを介した遠隔保守運用を実現することにある。
本発明の特徴は、ＩＰｖ６通信プロセッサとアクセスポイント等の中継機器を有するネットワークにおけるＩＰｖ６通信において、ＩＰｖ６通信プロセッサは、送信先ＩＰアドレス及び送信元ＩＰアドレスを構成するインタフェースＩＤに相当する機器識別子を記憶したＲＯＭ、ＲＯＭ読出し部、及び外部ネットワークインタフェース部を有し、ＩＰｖ６通信機能として送信元ＩＰアドレスと送信先ＩＰアドレスを備え、アクセスポイントは、ＩＰｖ６プロセッサを有する機器から送信された送信先ＩＰアドレス及び機器識別子を受信し、該受信した機器識別子にネットワークプリフィクスを付加し、ＩＰｖ６通信プロセッサを備えた機器の送信元ＩＰｖ６アドレスを生成すると共に、ＩＰｖ６送信ヘッダを作成するという機能を備えることで、ＩＰｖ６通信に必要な機能をＩＰｖ６通信プロセッサとアクセスポイントとで分担して、ＩＰｖ６通信機能を実現することにある。
本発明の他の特徴は、前記ＩＰｖ６通信プロセッサのＲＯＭに記憶する送信先ＩＰｖ６アドレスとして、機器運用管理を行う管理サーバのグローバルＩＰｖ６アドレスを設定することにある。
本発明の他の特徴は、機器運用保守を行う管理サーバのＩＰｖ６エニイキャストアドレスを設定することにより、管理サーバのアドレスを固定する必要が無い点に特徴がある。
前記ＩＰｖ６通信プロセッサのネットワークインタフェース部を通じて送信される、ＲＯＭに記憶した送信先ＩＰｖ６アドレス、機器識別子及び通知情報を受信するＩＰｖ６通信プロセッサアクセスポイントにおいて、機器識別子より送信元ＩＰｖ６アドレスを生成し、通知情報をＩＰｖ６パケットペイロードに設定し、ＩＰｖ６通信プロセッサが記憶している送信先ＩＰアドレスに対して、ＩＰｖ６パケットを送信することも本発明の特徴である。
本発明の他の特徴は、前記ＩＰｖ６通信プロセッサを具備した家電機器、ＩＰｖ６通信プロセッサアクセスポイントから構成される家庭内ネットワーク、家庭内ネットワークとアクセス網を接続する家庭内ネットワークに配置されるホームゲートウェイ、アクセス網に接続する家電機器の運用保守センタ、及び運用保守センタに配置する管理サーバからシステムを構成し、管理サーバにおいて、家電機器の保守運用を行う点にある。
本発明の他の特徴は、第二のＩＰｖ６通信プロセッサとして、ネットワークインタフェースを持たず、ＩＰｖ６通信プロセッサが記憶している情報を読み出す機能を備えたＩＰｖ６通信プロセッサリーダを用いて、ＩＰｖ６通信プロセッサが記憶している送信先ＩＰｖ６アドレス、製品識別子を読出し、ＩＰｖ６通信プロセッサリーダにおいて、製品識別子より送信元ＩＰｖ６アドレスを生成し、製品のステートをＩＰｖ６パケットペイロードに設定し、ＩＰｖ６通信プロセッサが記憶している送信先ＩＰｖ６アドレスに対して、製品ステートを送信することにある。送信先ＩＰｖ６アドレスを製品管理センタの管理サーバとすることにより、管理サーバで製品の販売状況等を把握することが可能になる。
尚、本発明は、前記課題の少なくとも１つを解決するものである。
発明を実施するための最良の形態
本発明の実施の形態について図面を参照しながら説明する。尚、図中同一または相当部分には同一符号を付してその説明は繰り返さない。
本発明の第一の実施形態を図１から図６、図１７から図２０、及び図２２を参照して説明する。
図１は、本発明を適応する第一のＩＰｖ６通信プロセッサ１０１Ａを利用したホームネットワーク１０７及び保守システムの一構成例を示す。ＩＰｖ６通信プロセッサ１０１は、冷蔵庫１０９などの家電機器、及びセンサ１０８に実装することができる。ＩＰｖ６通信プロセッサ１０１（１０１Ａ、１０１Ｂ）は、第一のＩＰｖ６通信プロセッサアクセスポイント１０２Ａを介して、ホームゲートウェイ１０６と接続し、ホームネットワーク１０７を構成する。ＩＰｖ６通信プロセッサ１０１とＩＰｖ６通信プロセッサアクセスポイント１０２Ａは、例えばＩＥＥＥ８０２．１１ｂといった無線ネットワークを介して接続する。ホームネットワーク１０７はホームゲートウェイ１０６を介して、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  ｔｏ  ｔｈｅ  Ｈｏｍｅ）といったアクセス網１０３と接続し、保守運用センタ１０４Ａに配置されている管理サーバ１０５Ａと接続する。
図２２は、ホームゲートウェイ１０６のハードウェア構成例である。ホームゲートウェイは、主プロセッサ２２０１、及び実行するプログラムを記憶する主メモリ２２０２、プログラム及び設定情報を格納するハードディスク２２０９、及びハードディスクコントローラ２２０８、アクセス網１０３との接続を行うアクセス網インタフェース部２２０４、本実施例では、１０Ｍあるいは１００Ｍのイーサネット対応のインタフェース部として記述している第一のＩＰｖ６通信プロセッサ１０１Ａと接続する有線ネットワークインタフェース部２２０７、アクセス網インタフェース部２２０４と有線ネットワークインタフェース部２２０７間を転送する送受信パケットを一時的に格納するバッファメモリ２２０５、及びバッファメモリコントローラ２２０４、これらを接続するシステムバス２２０３から構成する。
図２は、第一のＩＰｖ６通信プロセッサ構成１０１Ａを示す。ＩＰｖ６通信プロセッサ１０１Ａは、実装した機器からの割り込み２０１Ａを受け付ける機器インタフェース部２０２Ａ、機器からの割り込みを受けて読み出される情報を記憶するＲＯＭ２０３Ａ及び、読出し部２０４Ａ、そしてＲＯＭから読み出した情報を第一のＩＰｖ６通信プロセッサアクセスポイントに対して送信するネットワークインタフェース部２０５Ａから構成する。ネットワークインタフェース部２０５Ａは、送信バッファとしてＲＡＭ２０６Ａを持つ。
図１７は、第一のＩＰｖ６通信プロセッサを実装する温度センサ１０８の構成を示す図である。温度センサ１０８は、温度センサ回路１７０１とＩＰｖ６通信プロセッサ１０１Ａから構成し、温度センサ回路からＩＰｖ６通信プロセッサに対する割り込み信号線２０１Ａで接続する。
図３は、ＩＰｖ６通信プロセッサ１０１ＡのＲＯＭ２０３Ａに記憶する情報の構成要素を示した図である。ＲＯＭ２０３Ａ内には、ＩＥＥＥ８０２．１１ｂのＭＡＣヘッダ３０１Ａ、ＩＰｖ６通信プロセッサを実装している機器の製品識別子３０２Ａ、保守運用システムの管理サーバのグローバルＩＰｖ６アドレスを送信先ＩＰｖ６アドレス３０３Ａとして記憶し、加えて製品識別子と送信先ＩＰアドレスのＣＲＣ１６の計算結果であるＣＲＣ３０４を記憶する。
次にＩＰｖ６通信プロセッサ１０１Ａを具備した温度センサ１０８の処理を図４にて説明する。
温度センサ回路１７０１が温度上昇を感知し、ＩＰｖ６通信プロセッサ１０１Ａに対し割り込み２０１Ａを入れると（４００）、以下の手順でＩＰｖ６通信プロセッサ１０１Ａは処理を行う。
ステップ１として、割り込み２０１Ａを受け付けた機器インタフェース部２０２Ａは、読出し部に対しＲＯＭ２０３Ｂ内の情報読出し処理を行う信号を送る（４１０）。
ステップ２として、信号を受信した読出し部２０４Ａは、ＲＯＭ２０３Ａに記憶されている情報であるＭＡＣヘッダ３０１Ａ、製品識別子３０２Ａ、送信先ＩＰｖ６アドレス３０３Ａ、ＣＲＣ３０４を読出し、ネットワークインタフェース部２０５Ａの送信バッファに相当するＲＡＭ２０６Ｂに書きこむ（４２０）。
ステップ３として、読出し部２０４Ａは、ネットワークインタフェース部２０５Ａに対し、パケット送信を依頼する信号を送る（４３０）。
ステップ４として、ネットワークインタフェース部２０５Ａは、ＩＥＥＥ８０２．１１ｂの規定に従い第一のＩＰｖ６通信プロセッサアクセスポイント１０２Ａに対し、ＲＡＭ２０６Ａ上のデータを送信する（４４０）。
図２０は、ＩＰｖ６通信プロセッサ１０１Ａから送信されるパケットを受信する第一のＩＰｖ６通信プロセッサアクセスポイント１０２Ａのハードウェア構成を示す図である。ＩＰｖ６通信プロセッサアクセスポイント１０２Ａは、図５に示す処理及び図６に示す処理フローを実行する主プロセッサ２００１Ａ、実行プログラムを記憶する主メモリ２００２Ａ、及びプログラムを格納するハードディスク２００９Ａ及びハードディスクコントローラ２００８Ａ、本実施例では、１０Ｍあるいは１００Ｍのイーサネット対応のインタフェース部として記述しているホームゲートウェイ１０６と接続する有線ネットワークインタフェース部２００６Ａ、ＩＰｖ６通信プロセッサ１０１Ａと接続する８０２．１１ｂ対応の無線ネットワークインタフェース部２００７、無線ネットワークインタフェース部２００７から受信し、有線ネットワークインタフェース部２００６Ａへ送信するパケットを格納するバッファメモリ２００５Ａ及びバッファメモリコントローラ２００４Ａ、これらを接続するシステムバス２００３Ａから構成する。
図５は、ＩＰｖ６通信プロセッサ１０１Ａから送信されるデータを受信する第一のＩＰｖ６通信プロセッサアクセスポイント１０２Ａの処理構成を示す図である。ＩＰｖ６通信プロセッサアクセスポイント１０２Ａは、ＩＰｖ６通信プロセッサ１０１Ａからのデータを受信する無線インタフェース処理部５０３、受信したデータより管理サーバに送信するＩＰｖ６パケットを作成するＩＰｖ６通信プロセッサ処理モジュール５０１、及び有線ネットワーク制御を行うＬＬＣ／ＭＡＣ、ＰＨＹといった有線インタフェース処理部５０２から構成する。
図６は、第一のＩＰｖ６通信プロセッサアクセスポイント１０２ＡにおけるＩＰｖ６通信プロセッサ処理モジュール５０１での処理フローである。
無線インタフェース処理部５０３を介して、ＩＰｖ６通信プロセッサ１０１Ａからデータを受信すると、ＩＰｖ６通信プロセッサ処理モジュール５０１は起動され（６００）、ステップ１として、受信した製品識別子３０２Ａと送信先ＩＰｖ６アドレス３０３ＡのＣＲＣ１６を計算する（６１０）。計算したＣＲＣ結果とＩＰｖ６通信プロセッサ１０１Ａから受信したＣＲＣ値３０４を比較する（６２０）。両者の値が一致している場合、コマンド値として、異常通知を記憶する（６３０）。両者の値が一致していない場合、ＩＰｖ６通信プロセッサ１０１Ａ内のＲＯＭ２０３Ａに記憶されている情報が改竄されていることになるため、コマンド値として、ＩＰｖ６通信プロセッサ情報改竄を記憶する（６４０）。
ステップ２として、受信した製品識別子３０２Ａから送信元ＩＰｖ６アドレスを作成する。１２８ビットのＩＰｖ６アドレスは、上位６４ビットをネットワークプリフィクス、下位６４ビットをインタフェースＩＤと呼ぶ２エリアから構成される。ネットワークプリフィクスは、サブネットワークを特定する情報であり、インタフェースＩＤは、機器を特定する情報である。本実施例では、ＩＥＴＦ  ＲＦＣ２４６１に従い、アクセス網１０３からホームゲートウェイ１０６はネットワークプリフィクスを入手し、ＩＰｖ６通信プロセッサアクセスポイント１０２Ａからは、ホームゲートウェイ１０６からネットワークプリフィクスを入手する。インタフェースＩＤとして、ＩＰｖ６通信プロセッサ１０１Ａから伝えられた製品識別子３０２Ａを使用する（６５０）。
ステップ３として、ステップ２で作成した送信元ＩＰｖ６アドレスとＩＰｖ６から通知された送信先ＩＰｖ６アドレス３０３Ａから図７に示すＩＰｖ６ヘッダ７０１を作成する（６６０）。
ステップ４として、図７のＣｏｍｍａｎｄエリア７０２にステップ１で記憶したコマンド値を設定し、ＩＰｖ６パケットを作成する（６７０）。
ステップ５として、作成したＩＰｖ６パケットを有線インタフェース処理部５０２であるＬＬＣ／ＭＡＣ処理部へ渡し、パケット送信を要求する（６８０）。
このように、ＩＰｖ６通信プロセッサアクセスポイント１０２Ａにおいて、ＩＰｖ６通信プロセッサ１０１Ａが記憶している製品識別子３０２Ａと送信先ＩＰｖ６アドレス３０３Ａを受信し、ＩＰｖ６パケットを生成し、ホームゲートウェイ１０６及びアクセス網１０３を介して、保守運用センタ１０４Ａに配置する管理サーバ１０５ＡにＩＰｖ６パケットを送信することが出来る。保守運用センタ１０４Ａからは、ＩＰｖ６通信プロセッサ１０１Ａを備えた機器が、ＩＰｖ６プロトコルを実装して通信しているように見える。
保守運用センタ１０４Ａに配置される管理サーバ１０５Ａは、ＩＰｖ６パケットを受信すると、ＩＰｖ６パケットのコマンド値から、ＩＰｖ６通信プロセッサ１０１Ａを備えた機器である温度センサ１０８が異常を検知したことを認識し、ＩＰｖ６パケットの送信元アドレスと図１８、図１９に示すテーブルを用いて、ＩＰｖ６パケットを送信した家電機器及び管理対象者情報を検出する。
図１８はネットワークプリフィクスと管理対象者情報の対応を管理するテーブル１８０１構成を示す図である。本テーブル１８０１は、ＩＰｖ６アドレスのネットワークプリフィクス１８０２と管理対象者情報１８０３から構成されるエントリを複数管理し、管理対象者情報１８０３として、名前１８０３Ａ、住所１８０３Ｂ、電話番号１８０３Ｃ、Ｉｎｔｅｒｎｅｔ  Ｓｅｒｖｉｃｅ  Ｐｒｏｖｉｄｅｒ  １８０３Ｄ、ユーザＩＤ１８０３Ｅを持つ。受信したＩＰパケットの送信元ＩＰｖ６アドレスのネットワークプリフィクス１８０２Ａを持つエントリを本テーブル１８０１から検索し、対応する管理対象者情報１８０３を得ることができる。
図１９は製品識別子３０２、管理対象者情報１８０２及び管理機器情報１９０１の対応を管理するテーブル１９０１構成を示す図である。管理機器情報１９０２として、本テーブル１９０１では、メーカ、機器名、製品年度等の情報１９０２Ａが記憶されているとする。受信したＩＰｖ６アドレスのインタフェースＩＤとして製品識別子３０２Ａから対応する管理対象者情報としてのユーザＩＤ１８０３Ｅ、管理機器情報１９０２Ａを得ることができる。
このようにして、得た情報からＩＰｖ６パケットを送信した通信プロセッサ１０１Ａを備えた機器である温度センサ１０８が異常を検知、その温度センサ１０８を備えた家を検出することにより、温度センサ１０８が設置している家に電話による異常の確認、あるいは保守要員を送るといった対応が可能な、ＩＰｖ６家電機器の保守運用を行うことができる。
第２の実施例を図１及び図８から図１１を用いて説明する。
本発明を適応する第二のＩＰｖ６通信プロセッサ１０１Ｃを利用したホームネットワーク１０７及び保守システムの一構成例は、実施例１と同じ図１に示す通りである。
図８は、第二のＩＰｖ６通信プロセッサ１０１Ｃ構成を示す図である。第二のＩＰｖ６通信プロセッサ１０１Ｃは、機器からの割り込み２０１Ｂを受け付ける機器インタフェース部２０２Ｂ、ＲＯＭ２０３Ｂ、機器インタフェース部２０２Ｂからの信号、あるいは、タイマ８０１からの信号を受けてＲＯＭ２０３Ｂに記憶された情報を読出す読み出し部２０４Ｂ、送信バッファであるＲＡＭ２０６Ｂを備えた外部ネットワークインタフェース部２０５Ｂから構成する。
図９は、ＲＯＭ  ２０３Ｂで記憶する情報構成を示した図です。ＩＥＥＥ８０２．１１ｂ規定のＭＡＣヘッダ３０１Ｂ、ＩＰｖ６通信プロセッサを実装する家電機器の製品識別子３０２Ｂ、送信先ＩＰｖ６アドレス３０３Ｂ、正常状態を示すコマンド値α９０１、及び製品識別子３０２Ｂと送信先ＩＰｖ６アドレス３０３Ｂとコマンド値α９０１のＣＲＣ１６を計算した結果であるＣＲＣα９０２、異常状態を示すコマンド値β９０３、及び製品識別子３０２Ｂと送信先ＩＰｖ６アドレス３０３Ｂとコマンド値β９０３のＣＲＣを計算した結果であるＣＲＣβ９０４をＲＯＭ２０３Ｂにて記憶する。
図１０は、第二のＩＰｖ６通信プロセッサ１０１Ｃを図１７に示すように温度センサ１０８に実装した場合のＩＰｖ６通信プロセッサが実行する処理フローを示す。
第二のＩＰｖ６通信プロセッサ１０１Ｃは、温度センサ回路１７０１からの割り込み、あるいは、タイマからの定期的な割り込みを受けて処理を開始する。
ステップ１として、外部の温度センサ回路からの割り込みを受け付けた機器インタフェース部２０２Ｂは、読出し部２０４Ｂに対し、ＲＯＭ２０３Ｂ内の情報を読み出す信号を送る（１０１０）。
ステップ２として、機器インタフェース部２０２Ｂから信号を受信した読出し部２０４Ｂは、ＲＯＭ２０３Ｂに記憶されているＭＡＣヘッダ３０１Ｂ、製品識別子３０２Ｂ、送信先ＩＰｖ６アドレス３０３Ｃ、コマンド値β９０３及びＣＲＣβ９０４を読出し、ネットワークインタフェース部２０５ＢのＲＡＭ２０６Ｂに書き込む（１０２０）。読出し部２０４Ｂは、ネットワークインタフェース部２０５Ｂに対し、パケット送信を依頼する信号を送る（１０４０）。
あるいは、ステップ３として、定期的にタイムアウトするタイマ８０１から起動された読出し部２０４Ｂは、ＲＯＭ２０３Ｂに記憶されている情報の内、ＭＡＣヘッダ３０１Ｂ、製品識別子３０２Ｂ、送信先ＩＰｖ６アドレス３０３Ｂ、コマンド値α９０１及びＣＲＣα９０２を読出し、ネットワークインタフェース部２０５ＢのＲＡＭ２０６Ｂに書き込む（１０３０）。読出し部２０４Ｂは、ネットワークインタフェース部２０５Ｂに対し、パケット送信を依頼する信号を送る（１０４０）。
ステップ４として、ネットワークインタフェース部（２０５Ｂ）は、ＩＥＥＥ８０２．１１ｂの規定に従い第一のＩＰｖ６通信プロセッサアクセスポイント１０２Ｂに対し、ＲＡＭ２０６Ｂ上のデータを送信する（１０５０）。
図１１は、第二のＩＰｖ６通信プロセッサ１０１Ｃからのパケットを受信し、保守運用センタ１０４Ａの管理サーバ１０５ＡにＩＰｖ６パケット送信を行う第二のＩＰｖ６通信プロセッサアクセスポイント１０２Ｂが実行する処理フローを示す。第二のＩＰｖ６通信プロセッサアクセスポイント１０２Ｂの処理部構成は、実施例１で示す図５と同様である。
第二のＩＰｖ６通信プロセッサアクセスポイント１０２Ｂにおいて、無線インタフェース処理部５０３を介して、ＩＰｖ６通信プロセッサ１０１Ｃからデータを受信すると、ＩＰｖ６通信プロセッサ処理モジュール５０１は起動され（１１００）、ステップ１として、受信した製品識別子３０２Ｂ、送信先ＩＰｖ６アドレス３０３Ｂ及びコマンド値９０１、９０３のＣＲＣ１６を計算する（１１１０）。計算したＣＲＣ結果とＩＰｖ６通信プロセッサ１０１Ｃから受信したＣＲＣ値９０２、９０４を比較する（１１２０）。両者の値が一致していない場合、ＩＰｖ６通信プロセッサ１０１Ｃ内のＲＯＭ２０３Ｂに記憶されている情報が改竄されていることになるため、コマンド値として、ＩＰｖ６通信プロセッサ情報改竄を記憶する（１１３０）。
ステップ２として、受信した製品識別子３０２Ｂから送信元ＩＰｖ６アドレスを実施例１と同様に作成する（６５０）。
ステップ３として、ステップ２で作成した送信元ＩＰｖ６アドレスとＩＰｖ６通信プロセッサ１０１Ｃから通知された送信先ＩＰｖ６アドレス３０３Ｂから図７に示すＩＰｖ６ヘッダ７０１を作成する（６６０）。
ステップ４として、図７のＣｏｍｍａｎｄエリア７０２にステップ１で記憶したコマンド値がある場合、そのコマンド値を設定する。記憶したコマンド値が無い場合、ＩＰｖ６通信プロセッサから受信したコマンド値９０１、９０３を図７のＣｏｍｍａｎｄエリア７０２に設定する（１１６０）。このようにして、ＩＰｖ６パケットを作成する。
ステップ５として、作成したＩＰｖ６パケットを有線インタフェース部５０２であるＬＬＣ／ＭＡＣ処理部へ渡し、パケット送信を要求する（６８０）。
このように、製品識別子３０２Ｂ、送信先ＩＰアドレス３０３Ｂといった情報を記憶したＲＯＭ２０３Ｂ及びタイマ８０１を備えた第二のＩＰｖ６通信プロセッサ１０１Ｃを製品に実装し、ＩＰｖ６通信プロセッサから送信された情報から、第二のＩＰｖ６通信プロセッサアクセスポイント１０２Ｂにおいて、ＩＰｖ６パケットを生成することにより、定期的に製品の正常報告を、異常時検出時には異常報告を保守運用センタ１０４Ａに行うことが可能である。
保守運用センタ１０４Ａの管理サーバ１０５Ａにおいて、実施例１で示したように、管理対象者情報１８０３、管理機器情報１９０２を検出すると共に、受信ＩＰｖ６パケットのＣｏｍｍａｎｄ７０２を解析することにより、ＩＰｖ６通信プロセッサ１０１Ｃを備えた温度センサ１０８のステートを把握することが可能である。
第３の実施例を図１２から図１６、及び図２１を用いて説明する。
図１２は、第３の発明を適用するシステム構成例を示す図である。第三のＩＰｖ６通信プロセッサ１０１Ｄを備えた製品１２０３、第三のＩＰｖ６通信プロセッサ１０１Ｄから情報を読み出し、読み出した情報をＩＰｖ６パケットとして送信するＩＰｖ６通信プロセッサリーダ１２０１、第三のＩＰｖ６通信プロセッサ１０１Ｄからの通知を受け付ける製品管理センタ１２０４に配置する管理サーバ１２０５、及びＩＰｖ６通信プロセッサリーダ１２０１と管理サーバ１０５Ｂを接続するネットワーク１２０２から構成する。本実施例では、ＩＰｖ６通信プロセッサリーダ１２０１は、製品１２０３の販売店に配置するとする。
図１３は、第三のＩＰｖ６通信プロセッサ構成１０１Ｄを示す図である。第三のＩＰｖ６通信プロセッサ１０１Ｄは、ＲＯＭ２０３Ｃ、ＲＯＭに記憶した情報を読み出す読み出し部２０４Ｃ、ＩＰｖ６通信プロセッサリーダ１２０１とのインタフェース部に相当する外部インタフェース部１３０１から構成する。
図１４は、ＲＯＭ２０３Ｃに記憶する情報を示す図である。製品識別子１４０１、送信先ＩＰｖ６エニイキャストアドレス１４０２、及び製品識別子と送信先ＩＰｖ６エニイキャストアドレスのＣＲＣ１６計算値１４０３をＲＯＭ２０３Ｃに記憶する。
ＩＥＴＦ  ＲＦＣ  ２３７３において規定されているＩＰｖ６エニイキャストアドレスは、複数のインタフェースのグループを識別するアドレスであり、グループに接続する全てのインタフェースに対してではなく、グループに属する最寄りのインタフェースのみにＩＰｖ６パケットが送ることが出来るアドレスである。例えば、最寄りのＤＮＳサーバを検出するのに用いられる。本来の機能は、最寄りのある機能を備えたルータと通信することに用いられるが、本実施例では、任意のサービスを提供するサーバを見つけ出し、サービスを受ける為に使用する。この場合、製品管理センタ１２０４のサブネットに属する管理サーバ１２０５に対して、ＩＰｖ６パケットを送るために用いる。ＩＰｖ６エニイキャストアドレスを用いることにより、管理サーバ１２０５のグローバルＩＰｖ６ユニキャストアドレスを固定としなくても、ＩＰｖ６通信プロセッサは管理サーバ１２０５に対し、情報通知のＩＰｖ６パケットを送ることが可能となる。
図２１は、ＩＰｖ６通信プロセッサ１０１Ｄから送信されるパケットを受信するＩＰｖ６通信プロセッサリーダ１２０１のハードウェア構成を示す図である。ＩＰｖ６通信プロセッサリーダ１２０１は、図５に示す処理及び図６に示す処理フローを実行する主プロセッサ２００１Ｂ、実行プログラムを記憶する主メモリ２００２Ｂ、及びプログラムを格納するハードディスク２００９Ｂ及びハードディスクコントローラ２００８Ｂ、本実施例では、１０Ｍあるいは１００Ｍのイーサネット対応のインタフェース部として記述しているホームゲートウェイ１０６と接続する有線ネットワークインタフェース部２００６Ｂ、ＣＲＴ１５０７を制御する外部出力コントローラ２１０１、リーダ１５０５及びキーボード１５０６を制御する外部入力コントローラ２１０２、リーダ１５０５あるいはキーボード１５０６から外部入力コントーローラ２１０２を介して読み込んだデータを格納し、有線ネットワークインタフェース部２００６Ｂへ送信する為に作成するパケットを格納するバッファメモリ２００５Ｂ及びバッファメモリコントローラ２００４Ｂ、これらを接続するシステムバス２００３Ｂから構成する。
図１５は、ＩＰｖ６通信プロセッサリーダ１２０１の処理プログラム構成を示す図である。ＩＰｖ６通信プロセッサリーダ１２０１は、ＩＰｖ６通信プロセッサ１０１ＤのＲＯＭ２０３Ｃ内情報を読み込むリーダ１５０５やキーボード１５０６からの入力を受け付ける外部入力インタフェース処理部１５０２、ＣＲＴ１５０７への表示を行う外部出力インタフェース処理部１５０３、ネットワーク１２０２と接続する為の有線インタフェース処理部１５０４、及びＩＰｖ６通信プロセッサ処理モジュール１５０１から構成する。
図１６は、ＩＰｖ６通信プロセッサリーダ１２０１におけるＩＰｖ６通信プロセッサ処理モジュール１５０１の処理フローを示す。
ステップ１では、ＩＰｖ６通信プロセッサリーダ１２０１は、ＩＰｖ６通信プロセッサ１０１ＤのＲＯＭ２０３Ｃに記憶している情報を、リーダ１５０５を用いて読み出す。第三のＩＰｖ６通信プロセッサ１０１Ｄは、ＩＰｖ６通信プロセッサリーダ１２０１から情報の読出し信号を外部インタフェース部１３０１で受け付けると、読出し部２０４Ｃに対してＲＯＭ２０３Ｃ上の情報を読み出す信号を送る。読出し部２０４Ｃでは、ＲＯＭ２０３Ｃ上の情報を読出し、外部インタフェース部１３０１を介して、ＩＰｖ６通信プロセッサリーダ１２０１のリーダ１５０５、及び外部入力インタフェース部１５０２を介して、ＩＰｖ６通信プロセッサ処理モジュール１５０１に伝えられる（１６００）。
ステップ２では、ＩＰｖ６通信プロセッサ処理モジュール１５０１では、ステップ１として、受信した製品識別子１４０１、送信先ＩＰｖ６エニイキャストアドレス１４０２のＣＲＣを計算する。両者の値が一致していない場合、ＩＰｖ６通信プロセッサ１０１Ｄ内のＲＯＭ２０３Ｃに記憶されている情報が改竄されていることになるため、コマンド値として、ＩＰｖ６通信プロセッサ情報改竄を記憶する（１６３５）。一致した場合、コマンド値としてリードした日付とＩＰｖ６通信プロセッサリーダ１２０１が予め記憶している販売店コードを記憶する（１６３０）。
ステップ３として、外部出力インタフェース処理部１５０３を介して、コマンド値をＣＲＴ１５０７へ出力する（１６４０）。操作者がコマンド値をＣＲＴ１５０７上で確認した後、ＩＰｖ６通信プロセッサ処理モジュール１２０１に対し確認した旨を伝える為、「Ｅｎｔｅｒ」をキーボード１５０６から入力する（１６５０）。
ステップ４として、実施例１で示したように、受信した製品識別子１４０１から送信元ＩＰｖ６アドレスを作成する（６５０）。
ステップ５と、ステップ２で作成した送信元ＩＰｖ６アドレスとＩＰｖ６から通知された送信先ＩＰｖ６エニイキャストアドレス１４０２から図７に示すＩＰｖ６ヘッダ７０１を作成する（１６７０）。
ステップ６として、図７のＣｏｍｍａｎｄエリア７０２にステップ２で記憶したコマンド値を設定し、ＩＰｖ６パケットをを作成する（１６８０）。
ステップ７として、作成したＩＰｖ６パケットを有線インタフェース処理部１５０４であるＬＬＣ／ＭＡＣ処理部へ渡し、パケット送信を要求する（１６９０）。
このようにＩＰｖ６通信プロセッサ１０１Ｄとして、製品識別子１４０１、送信先ＩＰｖ６エニイキャストアドレス１４０２を備えることにより、これらの情報を読み出したＩＰｖ６通信プロセッサリーダ１２０１で作成したＩＰｖ６パケットを、ネットワーク１２０２を介して、送信ＩＰｖ６エニイキャストアドレスが示す製品管理センタ１２０４の管理サーバ１２０５へ送くることができる。よって、例えば管理サーバ１２０５で製品、販売店、販売日時を容易に管理することが可能になる。加えて、ＲＯＭ２０３Ｃ内にＣＲＣの計算値を持つことから、ＲＯＭ内の情報改竄を検出できる。
本実施例では、通知する情報を記憶し、ＩＰｖ６通信プロセッサリーダ１２０１で付加するとした。ＩＰｖ６通信プロセッサリーダ１２０１のキーボード１５０６から、通知する情報を入力し、情報をコマンド値として記憶することにより、図７で示すＩＰｖ６パケットのＣｏｍｍａｎｄエリア７０２にキーボード入力した情報を設定してもよい。
本発明は、上述の実施の形態に限定されるものではなく、適用分野に関わらず、要旨を逸脱しない範囲で変更し実施し得ることは述べるまでもない。例えば、ＩＰｖ６プロトコルに限定されることなく、他のプロトコルにおいても本発明が実施可能である限りにおいて適用しうる。
尚、本発明によれば、製品識別子と送信先ＩＰｖ６アドレスを情報として記憶するＲＯＭを備えたＩＰｖ６通信プロセッサを家電機器に実装することにより、家電機器の異常を検出した割り込み信号を受けたＩＰｖ６通信プロセッサが記憶情報をＩＰｖ６通信プロセッサクアセスポイントへ送信することにより、ＩＰｖ６通信プロセッサアクセスポイントにおいて、ＩＰｖ６に必要な処理分担の内、製品識別子から家電機器の送信元アドレスを生成、及びＩＰｖ６ヘッダを作成を行い、送信先ＩＰｖ６アドレスが示す保守運用センタに配置する管理サーバにＩＰｖ６パケットを送信することが可能である。保守運用センタからは、ＩＰｖ６通信プロセッサを備えた機器が、ＩＰｖ６プロトコルを実装して通信しているように見せることが可能である。
加えて、製品識別子、送信先ＩＰアドレスといった情報を記憶したＲＯＭ及びタイマを備えた第二のＩＰｖ６通信プロセッサを製品に実装し、ＩＰｖ６通信プロセッサから送信された情報から、第二のＩＰｖ６通信プロセッサアクセスポイントにおいて、ＩＰｖ６パケットを生成することにより、定期的に製品の正常報告を、異常時検出時には異常報告を、ＩＰｖ６通信プロセッサが記憶している送信先ＩＰｖ６アドレスが示す保守運用センタの管理サーバに行うことが可能である。これにより、保守運用センタの管理サーバで、家電機器のステートを管理することができる。
さらに、ＩＰｖ６通信プロセッサとして、製品識別子、送信先ＩＰｖ６エニイキャストアドレスを備えることにより、これらの情報を読み出したＩＰｖ６通信プロセッサリーダで作成したＩＰｖ６パケットを、ネットワークを介して、送信ＩＰｖ６エニイキャストアドレスが示す保守運用センタ１０４Ｂの管理サーバへ送ることができ、管理サーバで製品、販売店、販売日時を容易に管理することが可能である。
ＩＰｖ６通信プロセッサのＲＯＭ２０３Ｃ内に記憶している情報のＣＲＣの計算値を持つことから、ＲＯＭ内の情報改竄を検出できる。
産業上の利用可能性
本発明による通信システムは、通信プロセッサとアクセスポイント等の中継機器を有するネットワークにおける通信を、通信プロセッサと中継機器とで通信に必要な機能を分担して実現するため、通信プロセッサの機能を必要最小限にすることを目的とする機器に適用可能である。
【図面の簡単な説明】
図１は、本発明を適用するホームネットワーク及び保守システム構成を示す図である。
図２は、第一のＩＰｖ６通信プロセッサの構成を示す図である。
図３は、第一のＩＰｖ６通信プロセッサのＲＯＭに記憶する情報構成を示す図である。
図４は、第一のＩＰｖ６通信プロセッサを温度センサに実装した場合のＩＰｖ６通信プロセッサにおける処理フローを示す図である。
図５は、第一のＩＰｖ６通信プロセッサクセスポイントの処理構成を示す図である。
図６は、第一のＩＰｖ６通信プロセッサクセスポイントにおけるＩＰｖ６処理モジュールの処理フローを示す図である。
図７は、ＩＰパケットの構成を示す図である。
図８は、第二のＩＰｖ６通信プロセッサの構成を示す図である。
図９は、第二のＩＰｖ６通信プロセッサのＲＯＭに記憶する情報構成を示す図である。
図１０は、第二のＩＰｖ６通信プロセッサを温度センサに実装した場合のＩＰｖ６通信プロセッサにおける処理フローを示す図である。
図１１は、第二のＩＰｖ６通信プロセッサクセスポイントにおけるＩＰｖ６処理モジュールの処理フローを示す図である。
図１２は、第三のＩＰｖ６通信プロセッサが持つ情報を読み出すＩＰｖ６通信プロセッサリーダを用いた運用システムを示す図である。
図１３は、第三のＩＰｖ６通信プロセッサ構成を示す図である。
図１４は、第三のＩＰｖ６通信プロセッサ内のＲＯＭに記憶する情報構成を示す図である。
図１５は、ＩＰｖ６通信プロセッサリーダにおける処理構成を示す図である。
図１６は、ＩＰｖ６通信プロセッサリーダにおけるＩＰｖ６処理モジュールの処理フローである。
図１７は、ＩＰｖ６通信プロセッサを実装する温度センサの構成例を示す図である。
図１８は、ネットワークプリフィクスと管理対象者情報の対応テーブルを示す図である。
図１９は、製品識別子、管理対象者情報及び管理機器情報の対応テーブルを示す図である。
図２０は、ＩＰｖ６通信プロセッサアクセスポイントのハードウェア構成例を示す図である。
図２１は、ＩＰｖ６通信プロセッサリーダのハードウェア構成例を示す図である。
図２２は、ホームゲートウェイのハードウェア構成例を示す図である。
【図１】
2003071748.tif 000003
【図２】
2003071748.tif 000004
【図３】
2003071748.tif 000005
【図４】
2003071748.tif 000006
【図５】
2003071748.tif 000007
【図６】
2003071748.tif 000008
【図７】
2003071748.tif 000009
【図８】
2003071748.tif 000010
【図９】
2003071748.tif 000011
【図１０】
2003071748.tif 000012
【図１１】
2003071748.tif 000013
【図１２】
2003071748.tif 000014
【図１３】
2003071748.tif 000015
【図１４】
2003071748.tif 000016
【図１５】
2003071748.tif 000017
【図１６】
2003071748.tif 000018
【図１７】
2003071748.tif 000019
【図１８】
2003071748.tif 000020
【図１９】
2003071748.tif 000021
【図２０】
2003071748.tif 000022
【図２１】
2003071748.tif 000023
【図２２】
2003071748.tif 000024
【手続補正書】
【提出日】平成14年7月19日(2002.7.19)
【手続補正００１】
【補正対象書類名】特許請求の範囲
【補正対象項目名】請求項２
【補正方法】変更
【補正の内容】
【請求項２】送信先ＩＰｖ６アドレス及び機器の自送信元ＩＰアドレスを構成する識別子を記憶したＲＯＭ、機器からの割り込み信号を受け付ける機器インタフェース部、ＲＯＭに記憶した情報


【手続補正００２】
【補正対象書類名】特許請求の範囲
【補正対象項目名】請求項１０
【補正方法】変更
【補正の内容】
【請求項１０】送信先ＩＰｖ６アドレス及び自送信元ＩＰｖ６アドレスを構成する製品識別子を記憶したＲＯＭ、外部リーダからの読出し要求受け付け、及び読出した情報を外部リーダへ送る外部インタフェース部、ＲＯＭに記憶した情報を読み出すＲＯＭ読出し部を備えることを特徴とするＩＰｖ６通信プロセッサ。


【手続補正００３】
【補正対象書類名】特許請求の範囲
【補正対象項目名】請求項１１
【補正方法】変更
【補正の内容】
【請求項１１】請求項１０記載のＩＰｖ６通信プロセッサを実装した製品からＩＰｖ６通信プロセッサが記憶している情報を読み出す機能を備え、受信した製品識別子をインタフェースＩＤとする送信元ＩＰｖ６アドレスを作成する手段を備え、ＩＰｖ６通信プロセッサが指定する送信先ＩＰｖ６アドレスに対してＩＰｖ６プロセッサから送信するＩＰｖ６パケットを作成し、ネットワークへ送信することを特徴とするＩＰ通信プロセッサリーダ。


【手続補正００４】
【補正対象書類名】特許請求の範囲
【補正対象項目名】請求項１２
【補正方法】変更
【補正の内容】
【請求項１２】請求項１０記載のＩＰｖ６通信プロセッサを実装した製品、請求項１１記載の外部ネットワークとのインタフェース機能を備え、ＩＰｖ６通信プロセッサのＲＯＭから情報を読み出すＩＰ通信プロセッサリーダ、外部ネットワークに接続するＩＰｖ６通信プロセッサを実装した製品管理を行うセンタ、及び製品管理センタに配置する管理サーバから構成することを特徴とする製品管理システム。


【手続補正００５】
【補正対象書類名】特許請求の範囲
【補正対象項目名】請求項１３
【補正方法】変更
【補正の内容】
【請求項１３】通信システムであって、
自送信元アドレスを構成するための情報である識別子及び送信先アドレスを格納した第１の手段と、
前記第１の手段が送信する前記識別子及び送信先アドレスを有する情報を受信し、該情報に基づき、識別子から送信元ＩＰアドレスを生成すると共に、この生成した送信元アドレスと受信した送信先アドレスを設定するＩＰパケットを生成し、ネットワークに送信する第２の手段と、
前記第２の手段が送信した情報を受信し、前記第１の手段の状態を認識する第３の手段とを有することを特徴とする通信システム。


【手続補正００６】
【補正対象書類名】特許請求の範囲
【補正対象項目名】請求項１５
【補正方法】変更
【補正の内容】
【請求項１５】機器管理サーバであって、
識別子及び送信先アドレスを格納した第１の手段が送信する前記識別子及び送信先アドレスを有する情報に基づき、識別子から送信元ＩＰアドレスを生成すると共に、この生成した送信元アドレスと受信した送信先アドレスを設定するＩＰパケットを生成し、ネットワークに送信する第２の手段が送信した情報を受信し、前記第１の手段の状態を認識することを特徴とする機器管理サーバ。


【手続補正００７】
【補正対象書類名】特許請求の範囲
【補正対象項目名】請求項１６
【補正方法】変更
【補正の内容】
【請求項１６】通信プロセッサと中継機器とを有する通信システムであって、
前記通信プロセッサは、送信先ＩＰアドレス及び送信元ＩＰアドレスを構成する機器識別子を格納した記憶手段と、前記記憶手段に格納された情報を読み出す読出し部と、前記情報を送信するためのインタフェース部を有し、
前記中継機器は、前記通信プロセッサから送信された前記送信先ＩＰアドレス及び機器識別子を受信し、該受信した機器識別子から送信元ＩＰアドレスを生成すると共に、生成した該送信元アドレスと受信した送信先アドレスを設定したＩＰパケットを作成し、送信することを特徴とする通信システム。




【国際調査報告】
2003071748.tif 000025
2003071748.tif 000026
2003071748.tif 000027
2003071748.tif 000028